(57)【要約】【課題】雨滴又は雨を検知するセンサ部と、その信号を処理する回路部とが無線で接続された技術を提供せんとするものである。【解決手段】無線電波を受信するアンテナ３と、無線電波を受信して電源の供給を受け、この電源を利用してデータをアンテナ３から送信するタグＩＣ４と、データの送信をＯＮ／ＯＦＦ制御するスイッチ５とから成る無線タグ６を配設し、前記スイッチの二つの電極５Ａ，５Ｂを離間させて雨滴を感知する位置に配設し、雨滴によって前記電極間５Ａ，５Ｂが短絡するように構成する。この雨滴による短絡により、アンテナ３がリーダ側から発信された無線電波を受信し、タグＩＣ４に電源が供給され、当該電源を利用してタグＩＣ４に保存されていたデータがアンテナ３を通じて送信される。送信データは、雨滴又は雨を検知した旨の内容であり、必要に応じて光，音又は電波等で通知することができる。【選択図】  図１
2005134132.tif 000002
【特許請求の範囲】
【請求項１】
無線電波を受信するアンテナと、無線電波を受信して電源の供給を受け、この電源を利用してデータをアンテナから送信するタグＩＣと、データの送信をＯＮ／ＯＦＦ制御するスイッチとから成る無線タグを配設し、前記スイッチの二つの電極を離間させて雨滴を感知する位置に配設し、雨滴によって前記電極間が短絡するようにしたことを特徴とする雨検知用の無線タグ。
【請求項２】
無線タグが物干し具に設置されている請求項１に記載の雨検知用の無線タグ。
【発明の詳細な説明】
【技術分野】
【０００１】
本発明は、雨を検知してスイッチをＯＮ動作させることにより、無線電波（ここでは電磁波を含む、以下同じ）を受信して電源の供給を受け、この電源を利用してデータをアンテナから送信し、降雨を知らせる無線タグに関するものである。
【背景技術】
【０００２】
雨滴又は雨を検知するセンサの技術としては、例えば、特許文献１〜３に記載されたものがある。これらの先行技術においては、いずれも一対の電極を対向配置して雨滴を感知する位置に設置し、両電極間に雨滴が付着したときに、両電極間の静電容量の変化を検知することで降雨を検知するようにしている。
【０００３】
そして、これらの特許文献１〜３に記載された雨滴又は雨検知センサの技術では、当該電極に常に電源を印加するよう回路構成されており、雨滴を感知する場所まで配線接続されている。
【特許文献１】特開平５−２６４４９６号公報
【特許文献２】特開平９−６１３９４号公報
【特許文献３】特願２００２−３５０５５８号公報
【発明の開示】
【発明が解決しようとする課題】
【０００４】
このように、前記特許文献１乃至３に記載された発明にあっては、雨滴又は雨を検知するセンサ部と、その信号を処理する回路との接続及び前記センサ部へ電源を供給する手段が配線によって接続されており、これを物干し等へ適用する場合にあっては、ベランダ等の物干しとは別の位置に配線接続して設置する必要がある。つまり、雨滴又は雨を検知するセンサ部は、その配線部分がベランダ等における作業に支障のないように行う必要があり、設置場所に制限を受けるという欠点があった。
【０００５】
本発明は従来の前記課題に鑑みてこれを改良除去したものであって、雨滴又は雨を検知するセンサ部と、その信号を処理する回路部とが無線で接続された技術を提供せんとするものである。
【課題を解決するための手段】
【０００６】
而して、前記課題を解決するために本発明が採用した請求項１の手段は、無線電波を受信するアンテナと、無線電波を受信して電源の供給を受け、この電源を利用してデータをアンテナから送信するタグＩＣと、データの送信をＯＮ／ＯＦＦ制御するスイッチとから成る無線タグを配設し、前記スイッチの二つの電極を離間させて雨滴を感知する位置に配設し、雨滴によって前記電極間が短絡するようにしたことを特徴とする雨検知用の無線タグである。
【０００７】
本発明が採用した請求項２の手段は、無線タグが物干し具に設置されている請求項１に記載の雨検知用の無線タグである。
【発明の効果】
【０００８】
請求項１の発明にあっては、スイッチの二つの電極間に雨滴が付着し、これが短絡することによってスイッチがＯＮ動作し、アンテナ回路が形成されて当該アンテナがリーダ側から発信された無線電波を受信する。これにより、タグＩＣに電源が供給され、当該電源を利用してタグＩＣに保存されていたデータがアンテナを通じて送信される。この場合のデータは、雨滴又は雨を検知した旨の内容であり、必要に応じて光，音又は電波等で通知することができる。
【０００９】
請求項２の発明にあっては、無線タグを物干し竿や放射状に展開する蛸足状等のその他の物干し具に設置しており、雨滴を検知することにより、直ぐに洗濯物を取り込むようにすることが可能である。
【発明を実施するための最良の形態】
【００１０】
以下に、本発明の構成を図面に示す発明の実施の形態に基づいて説明すると次の通りである。図１及び図２は本発明の第１の実施の形態に係るものであり、図１の図（Ａ）は物干し竿１の部分断面図、同図の図（Ｂ）は無線タグ６の電気回路構成を示す図面、図２は雨検知装置２の全体を示す斜視図である。同図に示す如く、この実施の形態の雨検知装置２は、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とからなる一つの無線タグ６を有している。そして、これらのアンテナ３と、無線タグＩＣ４と、スイッチ５とは、物干し竿１の内部に埋め込まれており、前記スイッチ５を構成する二つの電極５Ａ，５Ｂの先端側一部が外部（雨滴を感知する環境の場所）へ露呈している。
【００１１】
一方、図２に示すように、物干し竿１を支える支柱７には、リーダ回路８と雨通知装置９とが内臓されており、リーダ側のアンテナ１０は物干し竿１を支持するようにループ状に形成されている。
【００１２】
次に、このように構成された雨検知装置２の動作態様を説明する。今、物干し竿１に洗濯物を干した状態で雨が降って来たと仮定する。雨滴が物干し竿１の外部へ露呈する二つの電極５Ａ，５Ｂ間に付着すると、両電極間が短絡する。これによりリーダ側のアンテナ１０から送信される無線電波を、無線タグＩＣ４のアンテナ３が受信し、無線タグＩＣ４内部の電圧回路に動作用の電圧を発生させる。
【００１３】
またスイッチ５がＯＮになったことにより、無線タグＩＣ４に記憶されているデータが無線通信インターフエイスを通じてアンテナ３からアンテナ１０を経てリーダ回路８へ送信される。リーダ回路８は、送信されたデータに応じた設定動作を行い、雨通知装置９に雨が降って来たことを通知させる。この通知は、音や光、電波であってもよい。従って、前記通知を受けた者は、雨が降ってきたことを知ることができ、洗濯物を濡れさせずに雨が降ってきた直後に取り込むことができる。
【００１４】
このように本実施の形態では、物干し竿１側に設けた雨滴検知センサ部と、リーダ側とは、無線インターフエイスを通じて電源の供給を受け、また雨滴を検知した旨の信号のやりとりを行うことができる。そのため、前記センサ部に電源を供給するための配線及びセンサ部の信号を出力するための配線が不要である。
【００１５】
尚、雨滴を検知する電極のスイッチ部５は、図３の図（Ａ）〜図（Ｆ）に示すように、二つ以上の組み合わせからなるものであってもよい。これは雨滴を多くの領域で検知するようにしたものである。図（Ａ）及び図（Ｂ）に示すものは、短冊状の電極を二組直列状に設けたものであり、図（Ｃ）に示すものは短冊状の電極を二列に四組設けたものである。また図（Ｃ）に示すものは環状の電極を同心円状に二組設けたものであり、図（Ｅ）に示すものでは円状の電極を二列に三組設けたものである。更に、図（Ｆ）に示すものは短冊状の電極を二列に合計１４組配列したものである。
【００１６】
図４は本発明の第２の実施の形態にかかるものであり、図（Ａ）は物干し竿１の要部斜視図、図（Ｂ）は物干し竿１と竿受け２との関係を示す端面図である。この実施の形態では、物干し竿１の外周面に環状に二つの電極５Ａ，５Ｂを二列に配設し、リーダ側のアンテナ１０を物干し竿受け用のフック１１に埋め込んだものである。また竿受け１２には、リーダ回路８及び雨通知装置９（いずれも図示せず、図２を参照）を内臓するようにすればよい。その他の構成並びに雨滴を検知する動作態様は前記第１の実施の形態の場合と同じである。
【００１７】
図５は本発明の第３の実施の形態にかかるものであり、蛸足状の物干し具１３に適用した場合の斜視図である。同図に示すように、この物干し具１３は、中心に位置する引っ掛け係止具１４の周囲に、展開自在な蛸足状の洗濯物係止用枝部材１５が複数本設けられている。そして、各枝部材１５の展開した状態における上面側に二つの電極５Ａ，５Ｂが露呈した無線タグ６が内臓されている。なお、リーダ側のアンテナ１０，リーダ回路８及び雨検知装置９（いずれも図示せず、図２参照）は、ベランダや建物躯体の壁面等の任意の場所に設置すればよい。雨滴を検知する動作態様については、前記第１の実施の形態の場合と同じである。
【００１８】
図６は本発明の第４の実施の形態にかかるものであり、半分に折り畳み自在な矩形状枠の物干し具１６に適用した場合のものである。同図に示すように、この実施の形態の場合は、矩形状枠１７の上面側に二つの電極５Ａ，５Ｂが露呈した無線タグ６が内臓されている。なお、リーダ側のアンテナ１０，リーダ回路８及び雨検知装置９（いずれも図示せず、図２参照）は、ベランダや建物躯体の壁面等の任意の場所に設置すればよい。この実施の形態の場合も、雨滴を検知する動作態様については、前記第１の実施の形態の場合と同じである。
【図面の簡単な説明】
【００１９】
【図１】本発明の第１の実施の形態に係るものであり、図（Ａ）は物干し竿の部分断面図、同図の図（Ｂ）は無線タグの電気回路構成を示す図面である。
【図２】本発明の第１の実施の形態に係るものであり、雨検知装置の全体を示す斜視図である。
【図３】本発明に係る電極の変形例を示すものであり、図（Ａ）は物干しの部分断面図、図（Ｂ）〜図（Ｆ）は電極の配置例を示す平面図である。
【図４】本発明の第２の実施の形態に係るものであり、図（Ａ）は物干し竿の要部斜視図、図（Ｂ）は物干し竿と竿受けとの関係を示す端面図である。
【図５】本発明の第３の実施の形態に係るものであり、物干し具の展開状態を示す斜視図である。
【図６】本発明の第４の実施の形態に係るものであり、物干し具の展開状態を示す斜視図である。
【符号の説明】
【００２０】
１…鏡、２…雨検知装置、３…アンテナ、４…無線タグＩＣ、５…スイッチ、６…無線  タグ、７…物干し竿の支柱、８…リーダ回路、９…雨通知装置、１０…リーダアンテナ  、１１…フック、１２…竿受け、１３…物干し具、１６…物干し具
【図１】
2005134132.tif 000003
【図２】
2005134132.tif 000004
【図３】
2005134132.tif 000005
【図４】
2005134132.tif 000006
【図５】
2005134132.tif 000007
【図６】
2005134132.tif 000008